(57)【特許請求の範囲】
【請求項１】
軸筒に嵌挿されるネジ筒の一方の開口端寄りの内壁に螺合部を形成するとともに、他端開口部外壁に突子を設け、この突子に嵌合するラセン溝をラセン筒の内壁に構成し、このラセン筒の外壁に突起を設け、上記突起に嵌合する軸方向の案内溝を案内筒内壁に設けて、この案内筒をネジ筒と回動自在に連結し、ネジ筒と同様にラセン筒と案内筒を軸筒内に収容してなり、ネジ筒とラセン筒にはそれぞれ化粧料等の用具を連結又は保持し、軸筒の両端より上記用具を繰出してなるものであって、案内筒の案内溝に任意の距離をおいて、ラセン筒の外壁に設けられた突起と、該ラセン筒に保持された用具が突出位置にある時と収納位置にある時にそれぞれ係合する係止突起を複数形成するとともに、係止突起の両側に位置する案内筒内壁に、薄肉部を設けて弾性を保持させてなる化粧料等の繰出容器。
【発明の詳細な説明】
【０００１】
【発明の属する技術分野】
この発明は、アイライナー、アイブロウ、アイシャドウ、口紅等の棒状化粧料あるいは筆記具の筆記部分（以下「用具」という。）の複数繰出機構に関する。
【０００２】
【従来の技術】
従来、棒状化粧料を両端より繰出して使用するにあたり、軸筒内にはそれぞれの繰出機構を収容の上、軸筒を把持し、所要の端部を回動して、用具を開口端より繰出すものが知られている。
【０００３】
【発明が解決しようとする課題】
しかしながら、上記従来のものは、それぞれの繰出機構をもつため、両端から用具を繰出すには、それぞれの繰出機構の長さを加えたもの以上の全長を必要とするから、全長を短くすることが事実上困難であり、異なる繰出機構をもつものであると、組付けが複雑となり、作業が容易でなく、コストの増大となるものである。
【０００４】
そこで、この発明は上記従来のものの問題点を解決するものであって、両者の繰出機構を共有させ、一体化することにより全長を極力短小とし、構成を簡単にしてその組付作業を容易にするものである。
【０００５】
また、一方の繰出機構に、突起を形成する案内筒を設け、繰出される用具の突出と収納時点を告知できるものとした上、この部分の耐久性を強化してなるものである。
【０００６】
【課題を解決するための手段】
そのために、軸筒に嵌挿されるネジ筒の一方の開口端寄りの内壁に螺合部を形成するとともに、他端開口部外壁に突子を設け、この突子に嵌合するラセン溝をラセン筒内壁に構成し、このラセン筒の外壁に突起を設け、上記突起に嵌合する軸方向の案内溝を案内筒内壁に設けて、この案内筒をネジ筒と回動自在に連結し、ネジ筒と同様にラセン筒と案内筒を軸筒内に収容してなり、ネジ筒とラセン筒にはそれぞれ化粧料等の用具を連結又は保持し、軸筒の両端より上記用具を繰出してなるものであり、更には、上記案内筒の案内溝に任意の距離をおいて、ラセン筒の外壁に設けられた突起と、該ラセン筒に保持された用具が突出位置にある時と収納位置にある時にそれぞれ係合する係止突起を複数形成するとともに、係止突起の両側に位置する案内筒内壁に、薄肉部を設けて弾性を保持させてなるものである。
【０００７】
【発明の実施の形態】
この発明の実施にあたり、軸筒内にネジ筒が一体に固定されるから、ネジ筒内壁のネジに螺合する棒状化粧料などの用具は、軸筒を把持して先端部を回動することにより、先端部分と一体化した用具は軸筒とともに回動することなく、軸筒開口端より前進して突出するものである。また、ネジ筒の他端は軸筒他端より繰出す別の用具の繰出機構の一部を構成し、その繰出機構のラセン筒のラセンに嵌合しているから、軸筒を把持して他方に開口端に嵌挿されるラセン筒を回動する時には、軸筒の他の開口端より他の用具が繰出されることとなる。この場合、軸筒と一体的に固定するネジ筒に回動自在に連結する案内筒内壁の案内溝内をラセン筒外壁端の突起が案内され、ラセン筒が直進するものであるが、上記案内溝内の任意の距離をおいて形成される係止突起とラセン筒の突起との、該ラセン筒に保持された用具が突出位置にある時と収納位置にある時におけるそれぞれの係合により用具の突出、収納位置を告知することができる。
【０００８】
更に、係止突起側方に位置して薄肉部を形成することにより、上記係止突起と突起の係合に弾性を与え、係合を確実にするとともに長期の使用に耐えられるようにする。突起の形状は中央を凹ませることにより係止突起の係合と告知（クリック作用）を確実にできるものであり、他方、ネジ筒内壁のネジと螺合する繰出機構の部分を押棒とし、押棒は軸筒開口端に嵌合する取換可能なカートリッジの底部を押圧し、カートリッジ内に収容する用具である棒状化粧料を押出して使用するようにもでき、また、上記押棒に代え、用具を収容する移動体を螺合させて、移行することもできる。
【０００９】
【実施例】
この発明の実施例を図により更に詳細に説明する。（１）は軸筒であり、軸筒（１）内にネジ筒（２）を嵌挿し、ネジ筒（２）外周に設けるローレット（１８）により軸筒（１）と一体的に固定する。ネジ筒（２）の一方の開口端寄りの内壁にネジ（１１）を形成して、このネジ（１１）に押棒（１０）の一端に形成する嵌合突子（１７）をで螺合する。押棒（１０）の他端はカートリッジ（７）の底部（２４）より挿入され、収容する用具（９）（この場合は口紅底部を収容する容体）を押棒（１０）の前進により押圧してカートリッジ（７）より押出して突出させる。他方、ネジ筒（２）は他端に向け延長して他の繰出機構の一部を構成し、ネジ筒（２）の他端外周に形成する突子（１３）は、ラセン筒（４）内壁に形成するピッチの長いラセン溝（１２）に螺合する。そこで、案内筒（３）はアンダーカット（２３）がネジ筒（２）の端部において回動できるように嵌合して、ラセン筒（４）を移動し、用具（８）を突出させる。ピッチの長いラセン溝（１２）とすると、用具（８）の突出が容易となる［用具（８）はこの実施例ではブラシであるが他のものでもよい。］。
【００１０】
ラセン筒（４）が軸筒（１）内を直進するために、ラセン筒（４）の外壁に設ける突起（１４）は、案内筒（３）の軸方向に設ける案内溝（２０）内に嵌合し、上記案内筒（３）は上記のように端部のアンダーカット（２３）がネジ筒（２）と回動自在に一体的に固定される。なお、上記案内溝（２０）内には任意の位置すなわち、ラセン筒（４）に保持されることとなる用具（８）が、突出位置にある時と収納位置にある時にラセン筒（４）の突起（１４）とそれぞれ係合できる位置に、それぞれ係止突起（２１）を設ける（図４）。この係止突起（２１）の両側の案内筒（３）内壁には薄肉部（２２）（これは長溝であってもよい。）を構成し、これに突起（１４）が係止する時、クリック音を生じ、また案内筒（３）内壁が屈撓して係合が無理なく、その開放も容易にできるように弾性を与える。また、ラセン筒（４）の突起（１４）も中央を凹ませることでその係合を容易にすることができる。
【００１１】
軸筒（１）の他の開口端内にネジ筒（２）と回動自在に固定される溝筒（５）には内壁に保持孔（１９）を設け、この孔の形状に合致するように押棒（１０）の外形が構成される（実施例にあっては断面角形）。このため、カートリッジ（７）とともに溝筒（５）を回動すると、押棒（１０）は保持孔（１９）により一体に回動し、ネジ（１１）と螺合する嵌合突子（１７）は押棒（１０）を突出させるように移行することとなる。
【００１２】
中具（６）は軸筒（１）のそれぞれの開口端に嵌合され、カートリッジ（７）側にはキャップ（１５）が、また他端側にはカバー（１６）が嵌着されて用具（８），（９）をそれぞれ保護する。また、カートリッジ（７）は溝筒（５）内に嵌着し、適宜バネにより離脱しないように保持される。
【００１３】
【発明の効果】
この発明は上記のとおり構成され、ネジ筒が両繰出機構の共用部品となり、両端より繰出される用具をもつ軸筒として、その全長が長くなることを抑制し、構成を簡単としてその組付作業を容易とするとともに、使用に当り用具の出没を明瞭に告知できる等の優れた効果をもつものである。
【図面の簡単な説明】
【図１】  この発明のキャップ、カバーを除く実施例の半断面正面図である。
【図２】  この発明の実施例の分解斜視図である。
【図３】  この発明の実施例の繰出機構の分解斜視図である。
【図４】  この発明の要部の一部断面斜視図である。
【符号の説明】
１  軸筒
２  ネジ筒
３  案内筒
４  ラセン筒
５  溝筒
６  中具
７  カートリッジ
８，９  用具
１０  押棒
１１  ネジ
１２  ラセン溝
１３  突子
１４  突起
１５  キャップ
１６  カバー
１７  嵌合突子
１８  ローレット
１９  保持孔
２０  案内溝
２１  係止突起
２２  薄肉部（長溝）
２３  アンダーカット
２４  底部
【図１】
0004192280.tif 000002
【図２】
0004192280.tif 000003
【図３】
0004192280.tif 000004
【図４】
0004192280.tif 000005